(57)【要約】【課題】ステンレス板が基本的に問題視されてきた溶接時の歪みや熱伸縮による浮きの発生防止及び裏側への水廻り阻止を確立することで、施工上のコスト低減と効率向上を図ることの出来るステンレス張り床構造を提供する。【解決手段】本発明によるステンレス張り床構造１は、コンクリート床２と、コンクリート床上の所定位置に配置されるジョイント金物５と、ジョイント金物５の間に詰められる下地モルタルと、端部をジョイント金物５に嵌め込んで下地モルタル上に敷設されるステンレス板３及びステンレス板３の端部をジョイント金物に押圧固定する押え縁４から構成し、ジョイント金物を直交する排水路２７に接合することで排水路として兼用しステンレス板に裏打ち材１１を備えている。【選択図】  図１
2004176252.tif 000002
【特許請求の範囲】
【請求項１】
コンクリート床、該コンクリート床上の所定位置に配置されるジョイント金物、該ジョイント金物の間に詰められる下地モルタル、端部を該ジョイント金物に嵌め込んで該下地モルタル上に敷設されるステンレス板及びステンレス板の端部をジョイント金物に押圧固定する押え縁から構成されるステンレス張り床構造。
【請求項２】
ジョイント金物が、直交する排水路に接合されることで排水路として兼用されることを特徴とする請求項１に記載のステンレス張り床構造。
【請求項３】
ステンレス板が、裏打ち材を備えて成ることを特徴とする請求項１又２に記載のステンレス張り床構造。
【発明の詳細な説明】
【０００１】
【発明の属する技術分野】
本発明は、ステンレス張り床構造に関し、特に溶接時の歪みや熱伸縮による浮きの発生防止及び裏側への水廻り阻止を確立したステンレス張り床構造に関する。
【０００２】
【従来の技術】
コンクリート床面が一般的な食品加工場、厨房等では、無臭性、抗菌性、防水性といった様々な性能が求められると同時に、使用される原料、糖分、油、酢、醤油、果汁等によってコンクリートが侵され、特に、澱粉、糖分は強い酸性である蟻酸となることからコンクリートがボロボロに浸食され、粉塵やカビの発生原因になっていた。又、工場や研究所では、製造や実験及び洗浄の過程において、高温水、酸、アルカリ等が多く使用されたり、搬送に使用されるフォークリフト等による衝撃荷重を操り返し受けるという過酷な環境の下で使用されていた。
【０００３】
このために、セメント系材料から形成している床材は、表面を合成樹脂系の塗り床、無機質系の塗り床或いはペイント系のもので構成されているが、このような塗床は、形成に時間や手間がかかるだけでなく、床の使用条件が過酷であるためにコンクリート床面をコーティングしている樹脂コーティング材、樹脂モルタル等は、塗床のふくれ・はがれ・クラックが発生し易く、熱湯や衝撃のために樹脂が劣化、損傷して剥離する問題点を有していることから、最近ではステンレス板を使用していた。
【０００４】
一方、ステンレス板は、耐酸性、耐熱性、耐水性、耐摩耗性に優れているものの、コンリートを打設した後の面上にステンレス板を溶接しながら敷設していく後貼り工法では、ジョイント部分となる現場溶接が困難であるために防水性能に対する信頼性が低いと共に、水溜りや挨溜りとなる不陸を生じる可能性が高くなっていた。
【０００５】
そして、ステンレス板張りを機械的工法で行うには、その厚さを２ｍｍ以上にする必要性からコストが高くなり、接着剤を用いて施工するには、温度変化による伸縮に対して接着剤が追従できないこと、長期間に亘って加熱一冷却を繰り返す激しい温度条件下では端部のシール部分が剥難すること等を問題点として抱えていた。
【０００６】
これらステンレス板の問題点を解決するために、これまでも以下のような多くの提案がなされている。
【０００７】
【特許文献―１】
特開平７−１３３６６２号公報（第３頁、段落記号「００１５」、図４参照）
【０００８】
図４に示す本例は、コンクリート床４０にステンレスシート４１を施工した状態を断面図で示しており、コンクリートの上面に両面粘着テープ４２を四角形に貼り付け、テープ４２で囲まれた内側に接着剤４４を塗布した後に、ステンレスシート４１をこれらの上面に被せるように載せて押圧することで接着するものであって、所定枚数接着した後にローラで均一に均すことで施工を完了している。
【０００９】
シール材４５は、ステンレスシート４１を接着する前に、両面粘着テープ４２の外周に塗布して置いても、ステンレスシート４１を貼着した後に両シート４１間に設けた隙間（目地）から加圧注入する方法によって充填してもよいものである。
【００１０】
しかるに、本例では、目地にシール材を用いているので耐久性に問題がある。又、細かく区分した複数枚のステンレスシート４１をコンクリート床４０に接着剤４４を塗布して個々に貼着しながら目地処理して行くものであるから、施工効率が悪いという問題点が残されていた。
【００１１】
【特許文献―２】
特開２０００−２９１１９３号公報（第３頁、段落記号「００２２」〜「００２４」、図３参照）
【００１２】
図５のステンレスー体型プレキャスト版４６は、成形されたプレキャスト版として搬送されて架構体の梁４７の上に敷設して結合金具によって固定している。
【００１３】
ステンレス一体型プレキャスト版４６は水勾配が付けられており、相互間は、長辺側と水上の短辺側４９にシーリング４８を取付け、水下の短辺側４９には、ハット型長尺板５０を取り付けて排水溝５１を形成しており、排水溝蓋５２を設けることで床が形成されている。
【００１４】
しかるに、本例は、ステンレス一体型プレキャスト版４６を工場等で別途に製造した後に現場まで搬送してくる必要があることから、既設コンクリート床には適用できないことや、設置のためには揚重装置が必要になる等によってコスト的に嵩張ることが問題点として指摘されている。
【００１５】
【特許文献―３】
特開２００２−１８０６４８号公報（第５頁、段落記号「００４５」〜「００４７」、図７参照）
【００１６】
図６の事例では、ステンレス板５３、５３を支持片５４でコンクリート下地５５に保持しながら、その下面外縁に対応させて漏出防止部材５６を周設しており、供給ホース５７のホース先端５８をステンレス板間の間隙５９や漏出防止部材の開口部から下方に臨ませた状態でモルタルを吐出させて、下地５５とステンレス板５３との間にモルタルが充填させているので、ステンレス板５３は、下地５５に一｀体化されてステンレス板の厚みを簿くして低コストに構築すると共に、溶接部分からの水漏れを防止して防水性を向上させている。又、ホース先端５８のみを間隙や開口部から臨ませるので、支持片５４の高さを低く保つことでステンレス床の高さを低くしている。
【００１７】
しかるに、本例は、コンクリートとステンレス板５３との間の狭隘な間隙にモルタルを充填するという繁雑な作業を要するという問題点を抱えている。
【００１８】
以上のように、無臭性、抗菌性、防水性等の性能確保や高温水、酸、アルカリ等を多く使用したり、衝撃荷重を操り返し受けるという過酷な環境の下で使用されることの多い食品加工場等の工場や研究所及び厨房では、コンクリート床面にステンレス板を適用させるために各種の提案がなされているものの、いずれの場合も耐久性等の品質面や施工効率面で依然として改善を求められているのが実態であった。
【００１９】
【発明が解決しようとする課題】
本発明は、以上の状況に鑑みてその改善策を提案するものであり、ステンレス板が基本的に問題視されてきた溶接時の歪みや熱伸縮による浮きの発生防止及び裏側への水廻り阻止等の品質を向上すると共に、施工性の向上を図ることの出来るステンレス張り床構造の提供を目的にしている。
【００２０】
【課題を解決するための手段】
本発明によるステンレス張り床構造は、基本的に、コンクリート床と、コンクリート床上の所定位置に配置されるジョイント金物と、ジョイント金物の間に詰められる下地モルタルと、端部をジョイント金物に嵌め込んで下地モルタル上に敷設されるステンレス板及びステンレス板の端部をジョイント金物に押圧固定する押え縁から構成されており、具体的には、ジョイント金物を直交する排水路に接合することで排水路として兼用したり、ステンレス板に裏打ち材を備えることを特徴としている。
【００２１】
これによって、本発明のステンレス張り床構造は、溶接時の歪みや熱伸縮による浮きの発生を防止し、裏側への水廻りを阻止すると共に、施工性の向上を図っている。
【００２２】
【発明の実施の形態】
本発明によるステンレス張り床構造は、コンクリート床上の所定位置にジョイント金物を配置して、ジョイント金物の間には下地モルタルを詰めて成り、ステンレス板を下地モルタル上に敷設しながらその端部をジョイント金物に嵌め込み、押え縁でジョイント金物に押圧固定することを基本構造にしており、ジョイント金物が、直交する排水路に接合することで排水路として兼用し、ステンレス板に裏打ち材を備えることで具体化している。
以下に、本発明によるステンレス張り床構造の実施の形態を図面に基づいて詳細に説明する。
【００２３】
図１は、本発明のステンレス張り床構造を斜視図で示す実施の形態図であり、裏打ちステンレス板の一部を破断することで全体構造を示している。
【００２４】
本発明によるステンレス張り床構造１は、図示のように、コンクリート床２の上に裏打ちステンレス板３を敷設し、裏打ちステンレス板３の端部を図示されていないジョイント金物に嵌め込みながら、押え縁４で押圧固定することで構成されている。
【００２５】
従って、本発明のステンレス張り床構造１は、コンクリート床２の上に裏打ちステンレス板３を敷設するのに、ステンレス板相互間の溶接によって加工していないことから、従来の問題点であった溶接時に発生するステンレス板の歪みを防止できると同時に、裏打ちステンレス板３の端部を嵌め込むジョイント金物を後述するように直交する排水路に接合することで排水路として兼用することによって、裏打ちステンレス板３の裏側への水廻りを阻止すると共に、総合的な施工性の向上を可能にしている。
【００２６】
又、従来例におけるコンクリート床とステンレス板との間では、熱伝導率の差に基づく熱伸縮によるステンレス板の浮きの発生が懸念されるところであるが、本発明では、裏打ちステンレス板３の端部に発生するこの熱伸縮を、下記に詳述されるところの押え縁４とジョイント金物とで構成される押圧固定機構で吸収することによって防止している。
【００２７】
図２は、図１を（Ａ）−（Ａ）矢視した断面図（ａ）と（Ｂ）−（Ｂ）矢視した断面図（ｂ）であり、裏打ちステンレス板３及び押え縁４とジョイント金物５で構成されている押圧固定機構とこれに直交する排水路とを明示している。
【００２８】
本実施の形態における裏打ちステンレス板３は、図２（ａ）に示すように、厚さ１．２ｍｍのステンレス板６を短手方向の両端部７、７において下方に所定の角度の傾斜面８を形成させるように折り曲げており、その先端９は、折り返されることで凸部１０を形成している。
【００２９】
ステンレス板６は、液体のスムーズな流れを実現すると共に作業者のスリップ防止のために、ロールエンボシング仕上、ダル仕上、ＨＬ仕上等の表面仕上加工したステンレス鋼板を使用することが好適である。そして、ステンレス板６の裏側には硬質ゴム、硬質樹脂もしくはモルタル等による裏打ち材１１が適宜に貼設されて裏打ちステンレス板３を形成している。
【００３０】
裏打ちステンレス板３を構成するステンレス板６と裏打ち材１１との貼設は、ＰＭ２００あるいはＰＭ２１０（セメダイン（株）製、商品名）のような接着性、熱伸縮追随性、化学的・動的耐久性等に優れた弾性マスチック接着剤等を使用する。ステンレス板６の成形加工後には、ロールコーター等によって接着剤をステンレス板６に連続的に塗布しつつ、ステンレス板６と裏打ち材１１及びＬ型鋼等によって圧着しながら、不陸が発生しないように貼付け、裏打ちステンレス板３を構成する。そして、本接着剤は、常温硬化させても良いが、加熱により接着硬化時間の短縮が可能である。
【００３１】
尚、本実施の形態における裏打ちステンレス板３は、その長さを１０数ｍ以内の大きさに規制して、コンクリート床２上に仕上げられたモルタル下地１２に接着材によって安定的に敷設されている。
【００３２】
押圧固定機構１３は、押え縁４とジョイント金物５とから構成されているが、押え縁４は、ステンレス製であり、裏打ちステンレス板３と同一表面を形成する上面部１４を有している。
【００３３】
押え縁４の上面部１４は、その両端部１７、１７において下方に所定角度の傾斜面１８を形成させて、裏打ちステンレス板３の端部７に形成された傾斜面８と剛結することなく、可動的に押えることができるようにその端部を内側上方に折り曲げることで押え片１５を形成している。押え片１５は、上面部１４と平行に配置された平板１５−１の両端部に形成されて、裏打ちステンレス板３の端部７に形成されている凸部１０と係合してこれを固定する係合片１５−２を押えている。
【００３４】
ジョイント金物５は、上面１９を開口させた溝型鋼２０から構成されており、その内側中央部に支持台２１を配置している。支持台２１は、その中央部にネジ穴２２を設けることで押え縁４を螺合機構１６で一体的に組み立て螺合できるように構成されており、上面１９で裏打ちステンレス板３の端部７を支持すると共に、内部に配置した支持台２１と上記係合片１５−２とで端部７に形成されている凸部１０を挟持することによって、押え縁４の傾斜面１８と裏打ちステンレス板３の傾斜面８とを相互に移動させると同時に、裏打ちステンレス板３の凸部１０が支持台２１の上を摺動出来るように支持している。
【００３５】
又、ジョイント金物５は、支持台２１の側面と溝型鋼２０の側面との間に裏打ちステンレス板３の凸部１０から流れ込んでくる液体を受けるように構成されることで、排水機能を発揮できるように機能を発揮している。又、溝型鋼２０の底部２３には、取付板２４が配置されており、コンクリート床２の所定位置に植設されているアンカーボルト２５に位置決めすることができる。
【００３６】
そして、溝型鋼２０の側面に設けられているＬ型鋼２６は、裏打ちステンレス板３の裏打ち材１１を受けて支持すると同時に、同じく裏打ちステンレス板３の敷設を受けるコンクリート床２上のモルタル下地１２を打設して仕上げる際の目安にして、裏打ちステンレス板３をコンクリート床２の上に安定的に敷設しており、フォークリフト等による衝撃荷重を操り返し受けるという過酷な環境の下でも充分に対応できるように構成することを可能にしている。
【００３７】
さらに、ジョイント金物５は、図２（ｂ）に示す実施の形態の排水路にその端部を接合することで排水路としても兼用されるものであり、その内部に溜まっている液体を留めること無く建屋の外部に排出出来るように構成されている。
【００３８】
本実施の形態における排水路２７は、図２（ｂ）に示すように上面を開放させたコ字状に形成されており、ジョイント金物５と直交状態に結合された状態でコンクリート床２に形成された排水溝２９の内部に設置されている。
【００３９】
裏打ちステンレス板３の長手方向における端部２８は、排水路２７の開口に臨ませており、排水溝２９の側部に、Ｌ型鋼３０の一辺側フランジ３０−１をアンカーボルト３１によって固着させながら、他辺側３０−２をＬ型鋼材３０’の他辺側フランジ３０’−２とフランジ同士で背中合わせに結合させているＬ型鋼材３０’の一辺側フランジ３０’−１に、上記端部２８を螺合止めさせることで固定している。
【００４０】
Ｌ型鋼材３０’  には、一辺側フランジ３０’−１の表面に案内板３２を設け、他辺側フランジ３０’−２に支持金具３３を設けてこれに排水路２７の両側面２７−１、２７−１’を固着させている。そして、各案内板３２は排水路２７の両側面２７−１、２７−１’の内側に当接させているので、裏打ちステンレス板３の表面上を流下している各種液体を、裏打ちステンレス板３の裏側に水廻りさせることなく排水路２７に導いている。
【００４１】
又、排水路２７は、排水溝２９の底部において下部支保材３４で支持されながら、アンカーボルト３５によって固定されているが、下部支保材３４は、本実施の形態では図示のように上述した裏打ちステンレス板３の支持機構と同様に、互いに背中合わせに結合させているＬ型鋼で構成されている。
【００４２】
本発明によるステンレス張り床構造は、以上の実施形態のように構成されることによって、建屋内で使用される原料、糖分、油、酢、醤油、果汁等の酸性或いはアルカリ性の液体や高温水等を、裏打ちステンレス板３の裏側に水廻りするのを確実に阻止することでコンクリートに接触させることなく排出処置することで、コンクリートの浸食やカビの発生を確実に回避している。
【００４３】
図３は、本発明によるステンレス張り床構造について、その施工工程（ａ）〜（ｄ）を順次に示している。
【００４４】
図３（ａ）に示す工程は、コンクリート床の上にジョイント金物を設置する施工状態を示している。
【００４５】
裏打ちステンレス板３を敷設するためのコンクリート床２の上には、予め所定の位置にアンカーボルト２５を植設することで施工されている。裏打ちステンレス板３を固定している押圧固定機構１３のジョイント金物５は、このアンカーボルト２５に載置されるものであり、アンカーボルト２５に螺合されているナットを適宜に調整することによって、ジョイント金物５の高さ位置を所望の値に定めてから固定されることになる。
【００４６】
図３（ｂ）に示す工程は、ジョイント金物の間とコンクリート床の上にモルタルを打設して、下地を形成する施工状態を示している。
【００４７】
施工は、コンクリート床２の上及び位置決めして設置されたジョイント金物５の間やその下側にモルタルを詰め、しかる後に全体を金ごて等によって表面仕上げをするものであり、モルタル下地１２の表面を精度良く仕上げることで、裏打ちステンレス板３の裏打ち材１１を均一に貼設支持出来るように構成している。
【００４８】
図３（ｃ）に示す工程は、表面をモルタル下地で仕上げたコンクリート床の上に裏打ちステンレス板を敷設する施工状態を示している。
【００４９】
本実施の形態の裏打ちステンレス板３は、所定厚のステンレス板６をその裏側に裏打ち材１１を適宜に貼設して別途に成形加工することで、予め製造している。
【００５０】
別途の成形加工は、最初に、裏打ちステンレス板３をセッティングするモルタル床ベース面上に接着剤をローラー、クシベラ等によって塗布するものであり、次いで、ローラーコンベア・真空吸盤具等を用いて搬入した裏打ちステンレス板３を溝形鋼２０及び排水路部のＬ型鋼３０’をガイドにしながら落とし込むことでセッティングして、しかる後に裏打ちステンレス板３を加圧接着している。
【００５１】
そして、裏打ちステンレス板３の長手方向の端部には、図２（ｂ）で示した排水路内部案内板３２をビスあるいはリベットによって固定したうえでシールを打設する。
【００５２】
図３（ｄ）に示す工程は、裏打ちステンレス板の端部をジョイント金物に嵌め込みながら、押え縁で押圧固定する施工状態を示している。
【００５３】
裏打ちステンレス板３を押圧固定する押圧固定機構１３は、押え縁４とジョイント金物５とから構成され押え縁４の螺合機構１６によって堅牢に結合されているので、裏打ちステンレス板３は、コンクリート床２の上にジョイント金物５と排水路２７とに接合されることで確実に敷設されることになる。
【００５４】
従って、ステンレス板３の表面から凸部１０を経由して流れ込んでくる液体は、係合片１５−２と凸部１０及び支持台２１の上面との間がメタルタッチになっているので、その隙間を通過して排水路を兼用しているジョイント金物５に受けられることによって、裏打ちステンレス板３の裏側に水廻りすることなく排水路２７に導かれている。
【００５５】
以上のように、本発明によるステンレス張り床構造は、上記実施の形態で説明したように構成されているので、従来から問題視されてきた溶接時の歪みや熱伸縮による浮きの発生を防止し、裏側への水廻りを阻止すると共に、施工性の向上を図っている。
【００５６】
以上、本発明によるステンレス張り床構造を実施の形態に基づいて詳細に説明してきたが、本発明は上記実施の形態に何ら限定されるものでなく、ステンレス板の材料等に関しては、クラッド鋼板、チタン鋼板等のように表面が耐食性を有しておれば他の材料でも代替可能であるように、発明の趣旨を逸脱しない範囲において各種の変更が可能であることは当然のことである。
【００５７】
【発明の効果】
本発明によるステンレス張り床構造は、コンクリート床と、コンクリート床上の所定位置に配置されるジョイント金物と、ジョイント金物の間に詰められる下地モルタルと、端部をジョイント金物に嵌め込んで下地モルタル上に敷設されるステンレス板及びステンレス板の端部をジョイント金物に押圧固定する押え縁から構成することを基本的にして、ジョイント金物を直交する排水路に接合することで排水路として兼用したり、ステンレス板に裏打ち材を備えることを具体的な特徴としているので、以下の効果を発揮している。
【００５８】
▲１▼  ステンレス板は、その端部をジョイント金物や排水路上に位置させることで溶接を回避しているので、溶接時の歪みを回避している。
【００５９】
▲２▼  各ステンレス板は、その端部を他の部材に剛接されていないので、熱伸縮による浮きの発生を防止している。
【００６０】
▲３▼  ステンレス板の表面を流下している液体は、排水路を兼用しているジョイント金物路を通じて排水路に結合されるので、ステンレス板の裏側への水廻りを阻止してコンクリートの浸食やカビの発生を回避している。
【図面の簡単な説明】
【  図１】本発明によるステンレス張り床構造の実施の形態を示す斜視図
【  図２】本発明によるステンレス張り床構造の断面図
【  図３】本発明によるステンレス張り床構造の施工状態を示す工程図
【  図４】従来のステンレス張り床構造の事例図
【  図５】従来のステンレス張り床構造を示す他の事例図
【  図６】従来のステンレス張り床構造を示す他の事例図
【符号の説明】
１  ステンレス張り床構造、  ２  コンクリート床、
３  裏打ちステンレス板、  ４  押え縁、  ５  ジョイント金物、
６  ステンレス板、  ７  端部、  ８  傾斜面、  ９  先端、  １０  凸部、
１１  裏打ち材、  １２  モルタル下地、  １３  押圧固定機構、
１４  上面部、  １５  押え片、  １５−１  平板、  １５−２  係合片、
１６  螺合機構、  １７  端部、  １８  傾斜面、  １９  上面、
２０  溝型鋼、  ２１  支持台、  ２２  ネジ穴、  ２３  底部、
２４  取付板、  ２５  アンカーボルト、  ２６  Ｌ型鋼、  ２７  排水路、
２７−１、２７−１’  側面、  ２８  端部、  ２９  排水溝、
３０、３０’    Ｌ型鋼、  ３０−１、３０’−１  一辺側フランジ、
３０−２、３０’−２  他辺側フランジ、  ３１  アンカーボルト、
３２  案内板、  ３３  支持金具、  ３４  下部支保材、
３５  アンカーボルト、  ４０  コンクリート床、
４１  ステンレスシート、  ４２  両面粘着テープ、  ４４  接着材、
４５  シール材、  ４６  ステンレス一体型プレキャスト版、  ４７  梁、
４８  シーリング、  ４９  短辺側、  ５０  ハット型長尺板、
５１  排水溝、  ５２  排水溝蓋、  ５３  ステンレス板、
５４  支持片、  ５５  コンクリート下地、  ５６  漏出防止部材、
５７  供給ホース、  ５８  ホース先端、  ５９  間隙、
【図１】
2004176252.tif 000003
【図２】
2004176252.tif 000004
【図３】
2004176252.tif 000005
【図４】
2004176252.tif 000006
【図５】
2004176252.tif 000007
【図６】
2004176252.tif 000008